(57)【要約】【課題】  この考案は、転居先の各部屋毎に宅配用のカートンを効率よく運び込むことができる引越用カラーテープ構造に関する。【解決手段】  現住居の間取りと転居先の間取りを基に決定された転居先での各配送物を設置する部屋に予め設定された複数の色彩からなる識別子と、前記配送品を転居先の各部屋毎に梱包するカートンと、裏面に粘着層を有すると共に前記識別子の色彩が施されて、前記カートンの蓋を施封するカラーテープとからなり、各部屋に、該部屋の識別子に対応するカラーテープで施封されたカートンを運び込んで開封可能としたことを特徴とする。【選択図】  図１
0003120844.tif 000002
【実用新案登録請求の範囲】
【請求項１】
現住居の間取りと転居先の間取りを基に決定された転居先での各配送物を設置する部屋に予め設定された複数の色彩からなる識別子と、
前記配送品を転居先の各部屋毎に梱包するカートンと、
裏面に粘着層を有すると共に前記識別子の色彩が施されて、前記カートンの蓋を施封するカラーテープとからなり、
各部屋に、該部屋の識別子に対応するカラーテープで施封されたカートンを運び込んで開封可能としたことを特徴とする引越用カラーテープ構造。
【請求項２】
識別子が色彩と部屋の名称を示す文字とからなっており、カラーテープの表面に前記文字を表記してなることを特徴とする請求項１に記載の引越用カラーテープ構造。
【請求項３】
複数の部屋が、寝室と、客間と、居間と、台所とからなっており、識別子が４色からなっていることを特徴とする請求項１に記載の引越用カラーテープ構造。
【請求項４】
識別子の色彩が、緑色、黄色、青色、赤色からなっており、カラーテープが前記色彩に対応して緑色テープ、黄色テープ、青色テープ、赤色テープからなっていることを特徴とする請求項３に記載の引越用カラーテープ構造。
【考案の詳細な説明】
【技術分野】
【０００１】
この考案は、転居先の各部屋毎に宅配用のカートンを効率よく運び込むことができる引越用カラーテープ構造に関する。
【背景技術】
【０００２】
従来、引越に際しては、現住居の間取りと転居先の間取りを比較して、同一または近似する機能を有する部屋間に家具や備品を配送し移動させて使用に供している。
そのため、それらの配送品を梱包するカートンには、その天井面に手書きで梱包場所の部屋名称または配送先の部屋名称を記入したり、メモをとって一覧表を作成していた。
しかし、配送時に上記表示を読み間違う危険があり、また、特に転居先が国外である場合には文字が読み取れない虞れもある。
【特許文献１】特開２００２−２００８６８号
【考案の開示】
【考案が解決しようとする課題】
【０００３】
この考案は、上記事情に鑑みて創案されたものであって、その主たる課題は、現住居または転居先の各部屋毎に予め所定の色彩を識別子として設定しておき、この色彩に対応したカラーテープを用いて、上記部屋に設置する配送品が梱包されたカートンの蓋を施封して配送に付すので、国内外を問わず、識別子を基に、該識別子に対応するカラーテープで施封されたカートンを運び込んで作業の効率化を図ることができる引越用カラーテープ構造を提供することにある。
【課題を解決するための手段】
【０００４】
上記課題を解決するために、請求項１の考案では、
現住居の間取りと転居先の間取りを基に決定された転居先での各配送物を設置する部屋に予め設定された複数の色彩からなる識別子と、
前記配送品を転居先の各部屋毎に梱包するカートンと、
裏面に粘着層を有すると共に前記識別子の色彩が施されて、前記カートンの蓋を施封するカラーテープとからなり、
各部屋に、該部屋の識別子に対応するカラーテープで施封されたカートンを運び込んで開封可能としたことを特徴とする。
また、請求項２の発明では、
前記識別子が色彩と部屋の名称を示す文字とからなっており、カラーテープの表面に前記文字を表記してなることを特徴とする。
更に、請求項３の発明では、
複数の部屋が、寝室と、客間と、居間と、台所とからなっており、識別子が４色からなっていることを特徴とする。
請求項４の発明では、
前記識別子の色彩が、緑色、黄色、青色、赤色からなっており、カラーテープが前記色彩に対応して緑色テープ、黄色テープ、青色テープ、赤色テープからなっていることを特徴とする。
【考案の効果】
【０００５】
カートンに、梱包した部屋または開封する部屋を示すカラーテープを貼付することで、配送先における室内搬入作業の効率化を図ることができる。
特に転居先が海外の場合には、色彩で見分けることができるので便利である。
これにより予定した通りの場所（部屋）に、迅速に且つ正確に搬入することができ、極めて有益である。
また、カラーテープでカートンの蓋を施封するので、別に粘着テープを用いて蓋を閉じる必要がない。
【考案を実施するための最良の形態】
【０００６】
以下に、この考案の引越用カラーテープ構造の好適実施例について図面を参照しながら説明する。
【実施例１】
【０００７】
現住居から転居先に備品等を配送するに際して、まず現住居と転居先の間取りを比較し対応関係を決める。
例えば、間取りの標準的なモデルとして、複数の部屋、例えば本実施例では基本的に４つの部屋、即ち、部屋１と部屋２と客間と居間と台所とを基準とし、現住居の各部屋と転居先の各部屋とを上記４つの部屋に対応させて分け、それぞれの基準とした部屋単位で、配送物を段ボールなどの宅配用のカートンに梱包する。
部屋１、部屋２に代えて寝室、客間のように具体的な名称としてもよい。
また、間取りにより部屋２は省略してもよいし、部屋３を追加してもよい。
【０００８】
あるいは、現住居の間取りを基準として、現住居の各部屋単位で、配送物を前記カートンに梱包する。
また、逆に、転居先の間取りを基準として、転居先の各部屋単位となるように、配送物を前記カートンに梱包してもよい。
【０００９】
そして、基準とした間取り、即ち、各部屋について、異なる色彩からなる識別子を設定する。
本実施例では、部屋１（寝室）は緑色とし、部屋２（客間）は黄色とし、居間は青色とし、台所は赤色とする。
この部屋の数、およびこれに対応する色彩の数は４つ以下でも以上でもよいし、色彩は上記実施例に限定されるものではなく、種々の異なる色彩を用いることができる。
【００１０】
そして、上記識別子に対応したロール状で裏面に粘着層を有するカラーテープとして緑色テープと、黄色テープと、青色テープと、赤色テープとを用意しておく。
本実施例でカラーテープには、各部屋の名称も同時に表記している。
図示例では、緑色テープには「Ｒｏｏｍ１」および「部屋１」、黄色テープには「Ｒｏｏｍ２」および「客間」、赤色テープには「Ｋｉｔｃｈｅｎ」と「台所」、青色テープには「Ｌｉｖｉｎｇ」と「居間」とが組になって等間隔で表示されている。
【００１１】
このようにして基準とした各部屋毎に配送物をカートンに梱包し、部屋単位の配送物が収納されたカートンに、上記部屋の識別子のカラーテープを用いて、開閉用の蓋片を施封する。
従って、カートンに使用されているカラーテープの色彩を見れば、そのカートンに収納された配送品がどの部屋のものかを容易に見分けることができる。
また、搬出に際しては、カートンのカラーテープの有無を見ることで、カラーテープの貼り忘れをチェックすることができる。
【００１２】
転居先では、各部屋に、識別子と同じ色彩のシートやパネルなどの表示体を着脱可能に取り付けておくことが好ましい。
これにより、配送者は自分の運んでいるカートンをどの部屋まで運べばよいかが表示体とカートンに貼付したカラーテープを見比べることで、直ちに判別することができる。
なおカラーテープに表示された前記部屋の名称も、上記判別を助けることになる。
【００１３】
そこで各部屋に集められたカートンは、全て同じ色彩のカラーテープが貼付されているので、異なる色彩のカラーテープがあれば、直ぐに別の部屋に運ばれるカートンであることが分かる。
そして、このカートンは開封されて、収納された配送物を取り出すことができる。
【００１４】
この考案では、前述のように、基準となる部屋の数や色彩は実施例に限定されるものではない。
また１つの部屋であっても複数に区分する場合には、色彩を分けて設定してもよいし、複数の部屋であっても配送物をどちらにおいてもよい場合には同一の色彩を識別子として設定することもできる。
その他、要するにこの考案の要旨を変更しない範囲で種々設計変更しうること勿論である。
【図面の簡単な説明】
【００１５】
【図１】基準となる間取りの一例を示す平面図である。
【図２】４つのカラーテープの一部を示す平面図である。
【図３】カートンの一例を示す斜視図である。
【符号の説明】
【００１６】
１    カートン
２ａ  識別子として設定された緑色
２ｂ  識別子として設定された黄色
２ｃ  識別子として設定された赤色
２ｄ  識別子として設定された青色
３ａ  緑色テープ
３ｂ  黄色テープ
３ｃ  赤色テープ
３ｄ  青色テープ
【図１】
0003120844.tif 000003
【図２】
0003120844.tif 000004
【図３】
0003120844.tif 000005